(57)【特許請求の範囲】
【請求項１】
テレビジョン信号の垂直帰線期間中に２値化信号が重畳されている多重化信号を受け、この多重化信号にスライス処理を施すことによって２値化信号を抽出する多重化信号受信装置において、
受信した前記多重化信号の電圧をスライスレベルと比較することによってスライス処理し、第１の論理レベル期間及び第２の論理レベル期間を有するスライスデータを生成する比較手段と、
前記多重化信号から生成されたスライスデータの１周期毎にその１周期期間を検出する周期検出手段と、
前記生成されたスライスデータの第１の論理レベル期間に前記第１の論理レベル期間を検出する論理レベル期間検出手段と、
前記周期検出手段で検出された前記多重化信号から生成された前記スライスデータの１周期期間の１／２を基準値として算出する基準値算出手段と、
前記論理レベル期間検出手段で検出された現サイクルの第１の論理レベル期間と前記基準値算出手段で算出された前のサイクルの基準値とを比較するレベル比較手段と、
前記論理レベル期間検出手段で検出された前記スライスデータの第１の論理レベル期間を前記基準値算出手段で算出された前記基準値と一致する方向に前記スライスデータの第２の論理レベル期間において前記スライスレベルを変更するスライスレベル変更手段とを具備したことを特徴とする多重化信号受信装置。
【発明の詳細な説明】
【０００１】
【産業上の利用分野】
本発明は、例えば、２値化された情報が重畳されている多重化信号を解読するためのデコード装置に用いられ、２値化信号の位相および振幅を示す繰返し信号およびこの繰返し信号の後に続く前記２値化信号が重畳されている多重化信号に対し、この多重化信号から２値化信号を抽出するためのスライス処理を施す多重化信号受信装置に関する。
【０００２】
【従来の技術】
現在、テレビジョン信号の垂直線期間中に２値化信号を重畳することによって各情報を伝送するシステムが実現され、このシステムの１つとして、文字、図形などの情報を伝送する文字放送が提供されている。
【０００３】
この文字放送を受信するための文字放送受信機には、垂直帰線期間中に２値化信号が重畳されている多重化信号に対しスライス処理を施すことによってこの多重化信号から２値化信号を抽出し、この２値化信号を解読するデコード装置が用いられている。このデコード装置には多重化信号受信装置が設けられ、この多重化信号受信装置では、垂直帰線期間中に２値化信号が重畳されている多重化信号に対し、この多重化信号から２値化信号を抽出するためのスライス処理を施し、歪みがある２値化信号を正規の２値化信号に波形整形する。
【０００４】
次に、この多重化信号受信装置について図を参照しながら説明する。図５は従来の多重化信号受信装置の一例を示すブロック図である。
【０００５】
多重化信号受信装置は、図５に示すように、映像信号１を取り込むコンパレータ２を備える。コンパレータ２は、映像信号１の電圧と基準電圧とを比較する。映像信号１の電圧が基準電圧より高いとき、「Ｈ」レベルのスライスデータが出力され、入力信号の電圧が基準電圧より低いとき、「Ｌ」レベルのスライスデータが出力される。
【０００６】
映像信号１は、垂直帰線期間中に２値化信号が重畳されている多重化信号を含み、この多重化信号はその先頭部に付加されているクロックランイン信号（以下、ＣＲＩ信号という）と、スタートビットと、２値化情報のデータとのパケットで構成される。ＣＲＩ信号は、データとスタートビットとの位相および振幅などを示す繰返し信号であり、スタートビットはデータの開始を示すビットデータである。
【０００７】
コンパレータ１からのスライスデータはＣＲＩゲート回路３に与えられる。ＣＲＩゲート回路３は、スライスデータの中からＣＲＩ信号に対応するスライスデータを抽出し、このスライスデータの出力はゲートパルスによって制御されている。
【０００８】
ＣＲＩゲート３からのＣＲＩ信号に対応するスライスデータは立上り検出部４に与えられる。立上り検出部４はＣＲＩ信号に対応するスライスデータに基づきＣＲＩ信号の立上りを検出し、その検出の結果をＣＲＩ信号に対応するスライスデータとともに出力する。
【０００９】
立上り検出部４の検出結果およびＣＲＩ信号に対応するスライスデータはアップダウンカウンタ（以下、Ｕ／Ｄカウンタという）６に与えられる。Ｕ／Ｄカウンタ６は、クロック発生器５からのＣＲＩ信号の周期より十分に速いクロックで動作をする。立上り検出部４の検出結果が立上りを示すとき、Ｕ／Ｄカウンタ６はカウント動作を開始し、このカウント動作は立上り検出部４が次の立上りを検出するまで続けられる。
【００１０】
ＣＲＩ信号に対応するスライスデータが「Ｈ」レベルの期間であるとき、Ｕ／Ｄカウンタ６のカウント値は上り、ＣＲＩ信号に対応するスライスデータが「Ｌ」レベルの期間であるとき、Ｕ／Ｄカウンタ６のカウント値は下がる。
【００１１】
Ｕ／Ｄカウンタ６のカウント値はディジタルアナログ変換器（以下、Ｄ／Ａ変換器）７に与えられる。Ｄ／Ａ変換器７は、Ｕ／Ｄカウンタ６のカウント値を対応する電圧に変換し、この電圧は基準電圧としてコンパレータ２に与えられる。
【００１２】
次に、上述の多重化信号受信装置の動作について図を参照しながら説明する。図６は図５の多重化信号受信装置の動作説明に用いられるＣＲＩ信号波形、スライスレベル、スライスデータおよびＵ／Ｄカウンタのカウント値を示すタイムチャート、図７は図５の多重化信号受信装置の動作不良の説明に用いられるＣＲＩ信号波形、スライスレベルおよびＵ／Ｄカウンタのカウント値を示すタイムチャートである。
【００１３】
まず、映像信号１の電圧がコンパレータ１で基準電圧と比較され、この比較の結果によって生成されたスライスデータが出力される。スライスデータはＣＲＩゲート回路３に与えられる。ＣＲＩ信号の入力期間中、図６（ａ），（ｂ）に示すように、ＣＲＩ信号に対応するスライスデータが抽出される。ＣＲＩ信号に対応するスライスデータは立上り検出部４に与えられ、ＣＲＩ信号に対応するスライスデータの立上がりの有無を検出する。Ｕ／Ｄカウンタ６は、図６（ｃ）に示すように、スライスデータの立上りから次の立上りまでカウント動作をし、この期間におけるカウント値はＣＲＩ信号に対応するスライスデータの論理レベルに応じて上下する。Ｕ／Ｄカウンタ６からのカウント値はＤ／Ａ変換器７で対応する電圧に変換され、この電圧は基準電圧としてコンパレータ２に与えられる。ＣＲＩ信号の１サイクル目では、図６（ｃ）に示すように、Ｕ／Ｄカウンタ６の最後のカウント値が最初の立上りのカウント値より大きくなるから、このコンパレータ２に与えられた基準電圧は高くなる。よって、スライスレベルは、図６（ａ）に示すように、次のＣＲＩ信号のサイクルに対し高くなる。すなわち、図６（ｃ）に示すように、スライスデータの最初の立上りと次の立上りとの間のデューティ比（スライスデータの「Ｈ」レベル期間の長さｍと「Ｌ」レベル期間の長さｎとの比）が検出され、このデューティ比に基づきスライスレベルが設定されることになる。
【００１４】
上述の動作はＣＲＩ信号の１サイクル毎に繰り返され、ＣＲＩ信号の１サイクル毎にスライスレベルの設定は行われる。
【００１５】
しかし、ゴースト信号などの影響によってＣＲＩ信号の一部が変形し、歪むと、図７に示すように、ＣＲＩ信号に対応するスライスデータの立上りの検出ができないことによって、Ｕ／Ｄカウンタ６のカウント値が非常に小さな値になるから、このカウント値に伴いスライスレベルが大きく低下し、最適なスライスレベルが得られないことがある。
【００１６】
ＣＲＩ信号の変形、歪みに起因するスライスレベルの変動を防止するために、立上り検出後にＵ／Ｄカウンタ６のカウント値を補正する方法、またはスライスレベルの初期値を設定する方法などが考えられるが、これらの方法では、スライスレベルを可変するタイミングが遅れ、最適なスライス処理を行うことができない。
【００１７】
【発明が解決しようとする課題】
上述したように、従来の多重化信号受信装置では、ＣＲＩ信号の一部が変形しているときに、スライスレベルが大きく変動し、適正なスライスレベルを得ることができない。
【００１８】
本発明は、ＣＲＩ信号の一部の変形に起因するスライスレベルの大きな変動を抑制し、適正なスライスレベルを得ることができる多重化信号受信装置を提供することを目的とする。
【００１９】
本発明は、テレビジョン信号の垂直帰線期間中に２値化信号が重畳されている多重化信号を受け、この多重化信号にスライス処理を施すことによって２値化信号を抽出する多重化信号受信装置において、受信した前記多重化信号の電圧をスライスレベルと比較することによってスライス処理し、第１の論理レベル期間及び第２の論理レベル期間を有するスライスデータを生成する比較手段と、前記多重化信号から生成されたスライスデータの１
周期毎にその１周期期間を検出する周期検出手段と、前記生成されたスライスデータの第１の論理レベル期間に前記第１の論理レベル期間を検出する論理レベル期間検出手段と、前記周期検出手段で検出された前記多重化信号から生成された前記スライスデータの１周期期間の１／２を基準値として算出する基準値算出手段と、前記論理レベル期間検出手段で検出された現サイクルの第１の論理レベル期間と前記基準値算出手段で算出された前のサイクルの基準値とを比較するレベル比較手段と、前記論理レベル期間検出手段で検出された前記スライスデータの第１の論理レベル期間を前記基準値算出手段で算出された前記基準値と一致する方向に前記スライスデータの第２の論理レベル期間において前記スライスレベルを変更するスライスレベル変更手段とを備える。
【００２０】
【作  用】
本発明の多重化信号受信装置では、前記繰返し信号の１周期毎に、前記基準値算出手段で算出された前記繰返し信号の一方の論理レベル期間の基準値と、前記論理レベル期間検出手段で検出された繰返し信号の一方の論理レベル期間とを比較し、この比較の結果に応じて前記比較手段の基準電圧を前記繰返し信号の他方の論理レベル期間に変更する。
【００２１】
前記繰返し信号の１周期毎に、前記基準値算出手段で算出された前記繰返し信号の一方の論理レベル期間の基準値と、前記論理レベル期間検出手段で検出された繰返し信号の一方の論理レベル期間との比較の結果に応じて前記比較手段の基準電圧が前記繰返し信号の他方の論理レベル期間に変更されるから、前記繰返し信号の一部の欠落などの変形に起因する前記基準電圧すなわちスライスレベルの大きな変動を抑制することができ、かつ適正なスライスレベルを得ることができる。
【００２２】
【実施例】
以下に、本発明の実施例について図を参照しながら説明する。
【００２３】
図１は本発明の多重化信号受信装置の一実施例を示すブロック図である。
【００２４】
多重化信号受信装置は、図１に示すように、映像信号１を取り込むコンパレータ２を備える。コンパレータ２は、映像信号１の電圧と基準電圧とを比較する。映像信号１の電圧が基準電圧より高いとき、「Ｈ」レベルのスライスデータが出力され、入力信号の電圧が基準電圧より低いとき、「Ｌ」レベルのスライスデータが出力される。
【００２５】
映像信号１は、垂直帰線期間中に２値化信号が重畳されている多重化信号を含み、この多重化信号はその先頭部に付加されているＣＲＩ信号と、スタートビットと、２値化情報のデータとのパケットで構成される。ＣＲＩ信号は、データとスタートビットとの位相および振幅などを示す繰返し信号であり、スタートビットはデータの開始を示すビットデータである。
【００２６】
コンパレータ１からのスライスデータはＣＲＩゲート回路３に与えられる。ＣＲＩゲート回路３は、スライスデータの中からＣＲＩ信号に対応するスライスデータを抽出し、このスライスデータの出力はゲートパルスによって制御されている。
【００２７】
ＣＲＩゲート３からのＣＲＩ信号に対応するスライスデータは立上り検出部４および立上り・立下がり検出部１１に与えられる。
【００２８】
立上り検出部４はＣＲＩ信号に対応するスライスデータに基づきＣＲＩ信号の立上りを検出し、その検出の結果を出力する。
【００２９】
立上り検出部４の検出結果はカウンタ１２に与えられる。カウンタ１２は、クロック発生器５からのＣＲＩ信号の周期より十分に速いクロックで動作をし、立上り検出部４が立上りの検出から次の立上りの検出までの期間カウント動作を続行する。このカウント動作によってＣＲＩ信号に対応するスライスデータの１周期分のカウント値が算出される。すなわち、このカウント値はＣＲＩ信号に１周期を示す値になる。カウンタ１２は立上り検出部４と共働して周期検出手段を構成する。
【００３０】
カウンタ１２のカウント値は基準値算出部１３に与えられる。基準値算出部１３はカウンタ１２のカウント値の１／２倍の値を算出し、このカウント値の１／２倍の値を「Ｈ」レベル期間基準値として出力する。基準値算出部１３には所定の初期値が予め設定されている。
【００３１】
立上り・立下がり検出部１１は、ＣＲＩ信号に対応するスライスデータに基づきＣＲＩ信号の立上りおよび立下がりを検出し、その検出の結果を出力する。
【００３２】
立上り・立下がり検出部１１の検出結果はカウンタ１４に与えられる。カウンタ１４は、クロック発生器５からのクロックで動作をし、立上り・立下がり検出部１４による立上りの検出から立下がりの検出までの期間カウント動作を続行する。このカウント動作によってＣＲＩ信号に対応するスライスデータの１周期における「Ｈ」レベル期間分のカウント値が算出される。すなわち、このカウント値は「Ｈ」レベル期間を示す値になる。カウンタ１４は立上り・立下がり検出部１１と共働して論理レベル期間検出手段を構成する。
【００３３】
カウンタ１４のカウント値は基準値算出部１３の「Ｈ」レベル期間基準値とともにＨレベル比較部１５に与えられる。Ｈレベル比較部１５は、カウンタ１４のカウント値と基準値算出部１３の「Ｈ」レベル期間基準値とを比較し、その比較の結果に応じてＵ／Ｄカウンタ１６にカウント値の増減を指示する。カウンタ１４のカウント値が基準値算出部１３の「Ｈ」レベル期間基準値より小さいとき、Ｕ／Ｄカウンタ１６にカウント値を上げる指示が出される。これに対し、カウンタ１４のカウント値が基準値算出部１３の「Ｈ」レベル期間基準値より大きいとき、Ｕ／Ｄカウンタ１６にカウント値を下げる指示が出される。
【００３４】
Ｕ／Ｄカウンタ１６は、クロック発生器５からのクロックで動作をし、Ｈレベル比較部１５からの指示に基づきカウント値を増減する。
【００３５】
Ｕ／Ｄカウンタ１６からのカウント値はＤ／Ａ変換器７に与えられ、Ｄ／Ａ変換器７はＵ／Ｄカウンタ１６からのカウント値に対応する電圧に変換し、この電圧は基準電圧としてコンパレータ２に与えられる。この基準電圧がコンパレータ２に与えられる時期はスライスデータの「Ｌ」期間中である。
【００３６】
Ｄ／Ａ変換器７はＨレベル比較部１５およびＵ／Ｄカウンタ１６と共働して基準電圧変更手段を構成する。
【００３７】
次に、多重化信号受信装置の動作について図を参照しながら説明する。図２は図１の多重化信号受信装置の動作説明に用いられるＣＲＩ信号波形、スライスレベル、スライスデータ、カウンタ１２の出力波形およびカウンタ１４の出力波形を示すタイムチャート、図３は図１の多重化信号受信装置の動作不良の説明に用いられるＣＲＩ信号波形、スライスレベル、スライスデータ、カウンタ１２の出力波形およびカウンタ１４の出力波形を示すタイムチャートである。
【００３８】
まず、映像信号１の電圧がコンパレータ１で基準電圧と比較され、この比較の結果によって生成されたスライスデータが出力される。スライスデータはＣＲＩゲート回路３に与えられる。ＣＲＩ信号の入力期間中、図２（ａ），（ｂ）に示すように、ＣＲＩ信号に対応するスライスデータが抽出される。ＣＲＩ信号に対応するスライスデータは立上り検出部４および立上り・立下がり検出部１１に与えられる。
【００３９】
立上り検出部４はＣＲＩ信号に対応するスライスデータに基づきＣＲＩ信号の１サイクル目の立上りを検出し、その検出の結果を出力する。立上り検出部４の検出結果はカウンタ１２に与えられ、カウンタ１２は立上り検出部４による１サイクル目の立上りの検出から次の２サイクル目の立上りの検出までの期間カウント動作を続行する。このカウント動作によってＣＲＩ信号に対応するスライスデータの１周期分のカウント値が算出される。すなわち、このカウント値は、図２（ｃ）に示すように、ＣＲＩ信号の１周期を示す値ｆになる。
【００４０】
カウンタ１２のカウント値は基準値算出部１３に与えられる。基準値算出部１３はカウンタ１２のカウント値の１／２倍の値を算出し、このカウント値の１／２倍の値を「Ｈ」レベル期間基準値として出力する。
【００４１】
立上り・立下がり検出部１１は、ＣＲＩ信号に対応するスライスデータに基づきＣＲＩ信号の１サイクル目の立上りおよび立下がりを検出し、その検出の結果を出力する。立上り・立下がり検出部１１の検出結果はカウンタ１４に与えられ、カウンタ１４は立上り・立下がり検出部１４による立上りの検出から立下がりの検出までの期間カウント動作を続行する。このカウント動作によってＣＲＩ信号に対応するスライスデータの１周期における「Ｈ」レベル期間分のカウント値が算出される。すなわち、このカウント値は、図２（ｄ）に示すように、「Ｈ」レベル期間Ｈｐを示す値になる。
【００４２】
カウンタ１４のカウント値は基準値算出部１３に初期値として設定されている「Ｈ」レベル期間基準値とＨレベル比較部１５で比較され、その比較の結果に応じてＵ／Ｄカウンタ１６にカウント値の増減の指示が出される。
【００４３】
カウンタ１４のカウント値が基準値算出部１３の「Ｈ」レベル期間基準値より小さいとき、Ｕ／Ｄカウンタ１６にはカウント値を上げる指示が与えられ、Ｕ／Ｄカウンタ１６のカウント値は上る。カウント値の増加に伴いコンパレータ２に対する基準電圧は１サイクル目の「Ｌ」レベル期間中に高い値に変更される、すなわちスライスレベルは１サイクル目の「Ｌ」レベル期間中に高い値に変更される。
【００４４】
カウンタ１４のカウント値が基準値算出部１３の「Ｈ」レベル期間基準値より大きいとき、Ｕ／Ｄカウンタ１６にカウント値を下げる指示が与えられ、Ｕ／Ｄカウンタ１６のカウント値は下がる。カウント値の減少に伴いコンパレータ２に対する基準電圧は１サイクル目の「Ｌ」レベル期間中に低い値に変更される、すなわちスライスレベルは１サイクル目の「Ｌ」レベル期間中に低い値に変更される。
【００４５】
次に、ＣＲＩ信号の２サイクル目では、カウンタ１４の２サイクル目に対応するカウント値と基準値算出部１３の１サイクル目の「Ｈ」レベル期間基準値とがＨレベル比較部１５で比較され、その比較の結果に応じてＵ／Ｄカウンタ１６にカウント値の増減の指示が出される。Ｕ／Ｄカウンタ１６のカウント値に応じてコンパレータ２の基準電圧が２サイクル目の「Ｌ」レベル期間に変更される。
【００４６】
上述の動作はＣＲＩ信号の１サイクル毎に繰り返され、ＣＲＩ信号の１サイクル毎にＣＲＩ信号に対応する「Ｈ」レベル期間基準値とこのスライスデータの１周期との比較の結果に応じてスライスレベルの設定が行われる。
【００４７】
ＣＲＩ信号がゴースト信号などの影響を受けると、図３に示すように、ＣＲＩ信号の一部が欠落することがある。例えば、ＣＲＩ信号の４サイクル目が欠落すると、このＣＲＩ信号の４サイクル目は「Ｌ」レベル期間として認識され、この認識された「Ｌ」レベル期間は基準値算出部１３で算出された「Ｈ」レベル期間基準値とカウンタ１４のカウント値に対応する「Ｈ」レベル期間との比較後における基準電圧すなわちスライスデータの可変期間となる。よって、この期間に多重化信号受信装置に誤動作を未然に防止することができる。
【００４８】
また、４サイクル目の欠落によって「Ｈ」レベル期間基準値が非常に大きくなることがあるが、ＣＲＩ信号の５サイクル目の「Ｈ」レベル検出期間に「Ｈ」レベル期間基準値を補正する、または初期値を用いるなどの方法によってスライスレベルの大きな変動を抑えることができる。
【００４９】
以上により、ＣＲＩ信号の一部の変形に起因するスライスレベルの大きな変動を抑制し、適正なスライスレベルを得ることができる。
【００５０】
なお、本実施例では、ＣＲＩ信号に対応するスライスデータの「Ｈ」レベルの期間を検出しているが、これに代えて、図４に示すように、ＣＲＩ信号に対応するスライスデータの「Ｌ」レベルの期間を検出し、この「Ｌ」レベルの期間と
「Ｌ」レベル期間の基準値と比較し、「Ｈ」レベルの期間にスライスデータの変更を行うこともできる。
【００５１】
【発明の効果】
以上に説明したように、本発明の多重化信号受信装置によれば、ＣＲＩ信号の一部の変形に起因するスライスレベルの大きな変動を抑制し、適正なスライスレベルを得ることができる。
【図面の簡単な説明】
【図１】本発明の多重化信号受信装置の一実施例を示すブロック図である。
【図２】図１の多重化信号受信装置の動作説明に用いられるＣＲＩ信号波形、スライスレベル、スライスデータ、カウンタ１２の出力波形およびカウンタ１４の出力波形を示すタイムチャートである。
【図３】図１の多重化信号受信装置の動作不良の説明に用いられるＣＲＩ信号波形、スライスレベル、スライスデータ、カウンタ１２の出力波形およびカウンタ１４の出力波形を示すタイムチャートである。
【図４】本発明の多重化信号受信装置の他の実施例に適用されるスライスレベルの可変方法に説明に用いられるＣＲＩ信号波形、スライスレベル、スライスデータ、カウンタ１２の出力波形およびカウンタ１４の出力波形を示すタイムチャートである。
【図５】従来の多重化信号受信装置を示すブロック図である。
【図６】従来の多重化信号受信装置の動作説明に用いられるＣＲＩ信号波形、スライスレベル、スライスデータ、カウンタ１２の出力波形およびカウンタ１４の出力波形を示すタイムチャートである。
【図７】図６の多重化信号受信装置の動作不良の説明に用いられるＣＲＩ信号波形、スライスレベル、スライスデータ、カウンタ１２の出力波形およびカウンタ１４の出力波形を示すタイムチャートである。
【符号の説明】
２…コンパレータ（比較手段）、３…ＣＲＩゲート回路、
４…立上り検出部、７…Ｄ／Ａ変換器、１１…立上り・立下がり検出部、
１２，１４…カウンタ、１３…基準値算出部（基準値算出手段）、
１５…Ｈレベル比較部、１６…Ｕ／Ｄカウンタ。
【図１】
0003547152.tif 000002
【図２】
0003547152.tif 000003
【図３】
0003547152.tif 000004
【図４】
0003547152.tif 000005
【図５】
0003547152.tif 000006
【図６】
0003547152.tif 000007
【図７】
0003547152.tif 000008